(57)【要約】【課題】補強要素の機能を最適化できる喫煙品の包装箱を提供する。【解決手段】タバコ側端部（２０１）とフィルタ側端部（２０２）とを有する喫煙品（２）の包装箱（１）は、タバコ側端部（２０１）に面する第一領域（３０３）とフィルタ側端部（２０２）に面する第二領域（３０４）とを有する一群（３）の喫煙品（２）と、一群（３）の喫煙品（２）を閉じ込める気密封止包装材（４）と、包装材（４）に配置される補強要素（５）と、を備える。包装材（４）は喫煙品（２）を取出すための開口部を有し、封止パネル（４０２）を用いて再開閉可能である。補強要素（５）は、包装材（４）に面する第一領域（３０３）の非被覆部（３０３’）を形成するよう、一群（４）の喫煙品（２）の第一領域（３０３）を部分的に覆うようタバコ側端部（２０１）に面する上端部壁（５０４）を有する。包装材（４）の開口部は、少なくとも部分的に非被覆部分（３０３’）と重なる。【選択図】図４
2018177372.tif 000002
【特許請求の範囲】
【請求項１】
タバコ側端部（２０１）とフィルタ側端部（２０２）とを有する長手方向（Ａ）に長い形状の喫煙品（２）の包装箱（１）であって、
一群（３）の喫煙品（２）であって、前記喫煙品（２）の前記タバコ側端部（２０１）に面している第一領域（３０３）と、前記第一領域（３０３）から長手方向に間隔を空けて配置されるとともに前記喫煙品（２）の前記フィルタ側端部（２０２）に面している第二領域（３０４）と、を有する一群（３）の喫煙品（２）と、
前記一群（３）の喫煙品（２）を閉じ込め、前記喫煙品（２）を取り出すための開口部を有し、該開口部自体に貼り付けられる封止パネル（４０２）を用いて開いて再び閉じることができる気密に封止される包装材（４）と、
を備える包装箱において、
前記包装材（４）の内部に配置されるとともに、前記一群（３）の喫煙品（２）と少なくとも部分的に接するよう配置される補強要素（５）を備えており、
前記補強要素（５）は、前壁（５０１）と背面壁（５０２）と二つの側壁（５０３）と少なくとも一つの上端部壁（５０４）とを、前記一群（３）の喫煙品（２）を囲繞する前記補強要素（５）の環状部を前記前壁（５０１）と前記背面壁（５０２）と前記側壁（５０３）とが構成するよう、有しており、
前記少なくとも一つの上端部壁（５０４）は、前記包装材（４）に面する前記一群（３）の喫煙品（２）の前記第一領域（３０３）の非被覆部分（３０３’）を形成するよう、前記一群（３）の喫煙品（２）の前記第一領域（３０３）を部分的に覆うよう前記喫煙品（２）の前記タバコ側端部（２０１）に面するように配置されており、
前記タバコ側端部（２０１）によって前記喫煙品（２）を掴み取り出すための前記開口部が、前記一群（３）の喫煙品（２）の前記第一領域（３０３）の前記非被覆部分（３０３’）と少なくとも部分的に重なるよう配置されている包装箱。
【請求項２】
請求項１に記載の包装箱（１）において、前記補強要素（５）は、前記前壁（５０１）と前記背面壁（５０２）とを接続するよう配置された二つの上端部壁（５０４）を有しており、該二つの上端部壁（５０４）の間に前記一群（３）の喫煙品（２）の前記第一領域（３０３）の前記非被覆部分（３０３’）が形成される包装箱。
【請求項３】
請求項２に記載の包装箱（１）において、前記二つの上端部壁（５０４）は、前記補強要素（５）の前記側壁（５０３）に隣接している側部肩部を構成しているとともに、前記一群（３）の喫煙品（２）の前記第一領域（３０３）の対応する両側部帯状部を覆うよう配置されている包装箱。
【請求項４】
請求項１〜３の１以上に記載の包装箱（１）において、前記封止パネル（４０２）は、前記喫煙品（２）を取り出すための前記開口部を閉じる構成において前記少なくとも一つの上端部壁（５０４）と少なくとも部分的に重なるよう、配置されるとともに形成される包装箱。
【請求項５】
請求項２に従属する場合の請求項４に記載の包装箱（１）において、前記封止パネル（４０２）は、前記喫煙品（２）を取り出すための前記開口部を閉じる前記構成においてそれぞれが前記二つの上端部壁（５０４）の対応する一方に載置される側部部分（４０２’）を有する包装箱。
【請求項６】
請求項１〜５の１以上に記載の包装箱（１）において、
前記補強要素（５）は、
前記補強要素（５）の前記前壁（５０１）および背面壁（５０２）にそれぞれ対応するとともに主長手方向に延設される少なくとも第一パネル（６０１）および第二パネル（６０２）と、
前記第一パネル（６０１）と前記第二パネル（６０２）とを接続するよう配置されるとともに前記一群（３）の喫煙品（２）の前記第一領域（３０３）の部分的被覆部を構成するよう前記第一パネル（６０１）および前記第二パネル（６０２）より小さい寸法で前記主長手方向に対して垂直に延設される少なくとも一つの接続パネル（６０４）と、
前記第一パネル（６０１）または前記第二パネル（６０２）から延設されるとともに前記側壁（５０３）に対応する少なくとも一ペアの側部ウィング（６０３）と、
を有するブランク（６）から形成される包装箱。
【請求項７】
請求項６に記載の包装箱（１）において、
前記ブランク（６）は、前記第一パネル（６０１）と前記第二パネル（６０２）とを接続するよう配置されるとともに前記第一パネル（６０１）および前記第二パネル（６０２）より小さい寸法で前記主長手方向に対して垂直に延設される一ペアの接続パネル（６０４）を有しており、
前記接続パネル（６０４）は、前記ブランク（６）の中央窓部（６０７）によって互いから分離されている包装箱。
【請求項８】
請求項１〜７のいずれか一に記載の包装箱（１）において、前記補強要素（５）のそれぞれの側壁（５０３）は、前記前壁（５０１）からおよび前記背面壁（５０２）からそれぞれ延設される一ペアの側部部分を重ねることにより構成される包装箱。
【請求項９】
タバコ側端部（２０１）とフィルタ側端部（２０２）とを有する長手方向（Ａ）に沿って長い形状の喫煙品（２）の包装箱（１）を製造する方法であって、
補強要素（５）を形成するために薄く曲げやすい板紙で形成されるブランク（６）を準備する工程であって、該ブランク（６）が、少なくとも第一パネル（６０１）および第二パネル（６０２）と、前記第一パネル（６０１）と前記第二パネル（６０２）とを接続するよう配置されるとともに前記第一パネル（６０１）および前記第二パネル（６０２）より小さい寸法で主長手方向（Ａ）に対して垂直に延設される少なくとも一つの接続パネル（６０４）と、前記第一パネル（６０１）または前記第二パネル（６０２）から延設される第一ペアの側部ウィング（６０３）と、を有している工程と、
一群（３）の喫煙品（２）であって、前記喫煙品（２）の前記タバコ側端部（２０１）に面している第一領域（３０３）と、前記第一領域（３０３）から長手方向に間隔を空けて配置されるとともに前記喫煙品（２）の前記フィルタ側端部（２０２）に面している第二領域（３０４）と、を有する一群（３）の喫煙品（２）を準備する工程と、
前記ブランク（６）から前記補強要素（５）を形成し、前記補強要素（５）を一群（３）の喫煙品（２）に連結する工程と、
封止パネル（４０２）によって開閉可能な、前記喫煙品（２）を取り出すための抜き取り用の開口部を有する熱可塑性物質のフィルムを用いて、前記補強要素（５）が連結された前記一群（３）の喫煙品（２）を収容する気密に封止される包装材（４）を構成する工程と、
を含む方法において、
前記補強要素（５）を形成し、前記補強要素（５）を前記一群（３）の喫煙品（２）に連結する工程は、
前記少なくとも一つの接続パネル（６０４）が、前記一群（３）の喫煙品（２）の前記第一領域（３０３）の非被覆部分（３０３’）を形成するよう、前記一群（３）の喫煙品（２）の前記第一領域（３０３）を部分的に覆うよう前記喫煙品（２）の前記タバコ側端部（２０１）に面するように配置される少なくとも一つの上端部壁（５０４）を構成するよう、前記ブランク（６）の前記少なくとも一つの接続パネル（６０４）を前記一群（３）の喫煙品（２）の前記第一領域（３０３）と接するように配置する工程と、
前記第一パネル（６０１）および第二パネル（６０２）が互いに平行になるとともに前記長手方向（Ａ）に沿った向きとなるよう、前記ブランク（６）を「Ｕ」字状に折り畳む工程と、
前記補強要素（５）の側壁（５０３）を構成するよう、前記少なくとも一つの第一ペアの側部ウィング（６０３）を折り畳む工程と、
を含んでおり、
前記包装材（４）が、前記一群（３）の喫煙品（２）と、前記一群（３）の喫煙品（２）の前記第一領域（３０３）の前記非被覆部分（３０３’）と重なるよう配置される前記喫煙品（２）を取り出すための前記開口部を有する前記補強要素（５）と、の周囲に形成される方法。
【請求項１０】
請求項９に記載の方法において、
ブランク（６）を準備する前記工程は、前記第一パネル（６０１）と前記第二パネル（６０２）とを接続するよう配置されるとともに前記第一パネル（６０１）および前記第二パネル（６０２）より小さい寸法で前記主長手方向（Ａ）に対して垂直に延設される一ペアの接続パネル（６０４）を有するブランク（６）であって、前記接続パネル（６０４）が前記ブランク（６）の中央窓部（６０７）によって互いから分離されているブランク（６）を準備する工程を含んでおり、
前記ブランク（６）の前記少なくとも一つの接続パネル（６０４）を前記一群（３）の喫煙品（２）の第一領域（３０３）と接するように配置する前記工程は、前記窓部（６０７）によって分離される二つの上端部壁（５０４）を構成するよう、前記接続パネル（６０４）を前記一群（３）の喫煙品（２）の前記第一領域（３０３）と接するように配置する工程を含んでおり、
前記包装材（４）を構成する前記工程は、前記包装材から前記喫煙品（２）を取り出すための前記開口部に前記窓部（６０７）を重ねて、前記喫煙品（２）を取り出すための前記開口部が閉じている構成において、前記封止パネル（４０２）の前記側部部分（４０２’）を前記上端部壁（５０４）に載置させる工程を含んでいる方法。
【請求項１１】
請求項９または１０に記載の方法であって、
前記第一ペアの側部ウィング（６０３）は前記第一パネル（６０１）から延設されており、
前記ブランク（６）は、前記第二パネル（６０２）から延設される第二ペアの側部ウィング（６０３）を備えており、
前記補強要素（５）の前記側壁（５０３）を構成する前記工程は、前記第一ペアの第一側部ウィング（６０３）と前記第二ペアの側部ウィング（６０３）とを折り畳んで重ねる工程を含んでいる方法。
【請求項１２】
請求項９〜１１のいずれか一に記載の方法であって、
前記第一ペアの側部ウィング（６０３）は前記第一パネル（６０１）から延設されており、
前記補強要素（５）を形成し、前記補強要素（５）を前記一群（３）の喫煙品（２）に連結する工程は、
前記第一パネル（６０１）に対してある角度で配置するよう、前記第一ペアの側部ウィング（６０３）を折り畳む工程と、
前記第一パネル（６０１）に対して直角となるよう前記接続パネル（６０４）を折り畳む工程と、
前記タバコ側端部（２０１）が前記接続パネル（６０４）と接するよう前記一群（３）の喫煙品（２）を押圧する工程であって、押圧力が前記喫煙品（２）の前記フィルタ側端部（２０２）に加えられる工程と、
前記第一パネル（６０１）および前記第二パネル（６０２）が互いに平行になるとともに前記長手方向（Ａ）に沿って向くよう、前記第二パネル（６０２）を折り畳む工程と、
を含んでいる方法。
【発明の詳細な説明】
【技術分野】
【０００１】
本発明は、形状が長手方向に長く、長手方向軸と平行な長手方向にタバコ側端部とフィルタ側端部とを有する喫煙品の包装箱に関する。
【０００２】
より具体的には、包装箱は、タバコ先端にすなわち喫煙可能な側に対応するタバコの第一端部に面する第一領域と、第一領域から長手方向に間隔を空けて配置されるとともにフィルタ側に対応するタバコの第二端部に面する第二領域と、を有する一群のタバコを備える。
【０００３】
また本発明は、喫煙品の包装箱を製造する方法に関する。
【０００４】
より具体的には、包装箱は、一群のタバコの周囲に配置される気密に封止された包装材を有する。
【背景技術】
【０００５】
柔らかいタバコ包装箱と、硬いヒンジ状蓋付タバコ包装箱と、が知られている。
【０００６】
柔らかい包装箱は、一群のタバコの周囲に配置されて保護する箔包装紙と、一群のタバコの上端部以外のすべてを保護するよう箔包装材の周囲に配置される一枚の紙材料と、を備える。
【０００７】
通常、包装箱は、上端部から開かれ、そして、タバコが、フィルタ領域と対応する第二端部によって上端部から取り出される。
【０００８】
通常、四つの側壁と上端部と底端部とを有する平行六面体の形状である硬質包装箱は、一群のタバコの周囲に巻き付けられた箔紙で形成される内側包装材と、容器本体と容器の背面に形成される水平方向ヒンジ線に沿ってヒンジ状に開く蓋とを備える外側容器と、を備える。
【０００９】
上面に関して、蓋はまた、包装箱の外側容器の前述の上端部を構成し、開いた位置へと回転すると、内側包装材の上端部を露出させて開くことができ、そして、タバコが、フィルタ領域に対応する第二端部によって、内側包装材の上端部を通じて取り出される。
【００１０】
また、内側包装材と外側容器との間に、容器自体と一体的に、蓋が開いた位置に移動される毎に突出するカラーが備えられている。
【００１１】
両方のタイプの包装箱は、外側包装材を開くよう引き裂くように用いられる薄い引き裂きテープを有するプラスチック材料（ポリプロピレン）の外側包装材内に包装される。この包装材は完全には気密でなく、したがって包装箱の内容物を封止しない。
【発明の概要】
【発明が解決しようとする課題】
【００１２】
硬質包装箱と略同じ形状および特徴を有する、気密に封止される包装箱が現在開発されている。これらの包装箱は、気密に封止される内側包装材を有する。
【００１３】
包装材は、開くことができそして再び閉じることができるタイプであり、閉じた位置から取り外し可能であるとともに、タバコにアクセスでき取り出すことができるとともにその後包装材を再び閉めるよう閉じた位置に戻すことが可能なタブを有する。
【００１４】
この再開閉可能なタイプの気密に封止される包装材は、通常、一群のタバコが熱可塑性フィルム内に包装されるフロー・パック機械（ｆｌｏｗ−ｐａｃｋ  ｍａｃｈｉｎｅ）から得られる。
【００１５】
包装プロセスの際には、群を構成するタバコが乱れる可能性があり、したがって、補強要素が一群のタバコに利用される。
【００１６】
補強要素は通常、薄い板紙で形成され、一群のタバコを少なくとも部分的に囲繞し、完成した包装箱において、密封される包装材の内部に配置される。
【００１７】
タバコを一群として一体に保持する機能を適切に満たすために、補強要素を一群のタバコの周囲にぴったりと巻き付けなければならず、かつ構造的に安定させなければならない。
【００１８】
補強要素を、適切に形成されたブランクを折り畳み接着することにより構成することができる。
【００１９】
通常、柔らかいパックおよび硬いパックの両方の場合において、タバコの第一端部（喫煙可能なタバコ端部）が底部にあり、第二（フィルタ）端部が包装箱を開けてタバコを取り出す領域が位置する最上部にある状態で、一群のタバコはそれぞれの包装箱内に配置される。
【００２０】
最近の市場要求では、柔らかいパックおよび硬いパックの両方の場合において、タバコの第一端部（喫煙可能なタバコ端部）が包装箱を開けてタバコを取り出す領域が位置する上端部の近傍に配置され、タバコの第二（フィルタ）端部が底部に配置される状態で、一群のタバコがそれぞれの包装箱内に配置されることが求められている。
【００２１】
これらの要求は、タバコを包装する場合に特に、一群のタバコの周囲に巻き付けられる補強要素を有する、封止が必要な再開閉タイプの内側包装材の場合に、現在まで行われている解決法とはまさに逆である。
【００２２】
現在の補強要素は、その形状がタバコを第二フィルタ端部によって取り出すことを可能にするよう特別に設計されているので、欠点を有することは明らかであろう。
【００２３】
したがって、本発明は、従来技術の上述した欠点を克服する喫煙品の包装箱およびその製造方法を提供することを目的とする。
【００２４】
より詳細には、本開示は、包装箱を閉じると同時に喫煙品を一体的に保持することができる、さらに詳細には、タバコ（の喫煙可能な）端部が包装箱の最上部に向くよう配置される場合に一群の喫煙品を安定させる補強要素の機能を最適化できる喫煙品（例えばタバコ）の包装箱を提供することを目的とする。
【課題を解決するための手段】
【００２５】
この目的は、添付の特許請求の範囲に記載した本発明の包装箱および方法によって十分に達成される。
【００２６】
より詳細には、本発明は、長手方向に長い形状であって、タバコ側端部とフィルタ側端部とを有するとともに、一群の喫煙品と、気密に封止される包装材と、補強要素とを備える喫煙品の包装箱を提供する。
【００２７】
一群の喫煙品は、喫煙品のタバコ側端部に面している第一領域と、第一領域から長手方向に間隔を空けて配置されるとともに喫煙品のフィルタ側端部に面している第二領域と、を有する。
【００２８】
気密に封止される包装材は、一群の喫煙品を閉じ込め、喫煙品を取り出すための開口部を有し、該開口部自体に貼り付けられる封止パネルを用いて開いて再び閉じることができる。
【００２９】
補強要素は、包装材の内部に配置されるとともに、一群の喫煙品と少なくとも部分的に接するよう配置される。
【００３０】
補強要素は、前壁と背面壁と二つの側壁と少なくとも一の上端部壁とを有する。
【００３１】
四つの側部が閉じており一群の喫煙品を囲繞する補強要素の環状部が、前壁と背面壁と側壁とによって構成される。
【００３２】
好適には、少なくとも一つの上端部壁は、包装材に面する第一領域の非被覆部分を形成するよう、一群の喫煙品の第一領域を部分的に覆うように配置される。
【００３３】
喫煙品を包装材から取り出すための開口部が、一群の喫煙品の第一領域の非被覆部分と少なくとも部分的に重なるよう配置される。
【００３４】
好適には、一群の喫煙品を閉じ込める包装材は、喫煙品のための、一枚の紙材料およびプラスチック材料のフィルム内に包装することができるもしくは包装しないこともできる柔らかいタイプの包装箱を、または硬いヒンジ状蓋タイプの包装箱を構成するよう硬い板紙容器内に挿入されるように構成される内側包装箱を構成する。
【００３５】
一群の喫煙品の第一領域に配置される少なくとも一つの上端部壁が備えられることによって、喫煙品のタバコ側端部を効果的に保護することができると同時にユーザが封止パネルを押圧することにより閉じる作用を加えることにより封止パネルを閉じることができる。
【００３６】
従属項は、本発明の種々の想定される態様に対応する。
【００３７】
本発明のさらなる特徴および利点は、以下の添付図面を参照した、タバコ包装箱およびその製造方法の好ましいものであるが他のものを排除することを意図しない実施形態の、限定するものではない説明からより明らかとなろう。
【図面の簡単な説明】
【００３８】
【図１】本発明にかかる喫煙品の包装箱の、より詳細には内側包装材が一群の喫煙品の周囲に配置される喫煙品の包装箱の、概略的な斜視図である。
【図１Ａ】図１に示したタイプの内側包装材を有する、硬いヒンジ状蓋付の、喫煙品の包装箱の斜視図である。
【図２】図１の包装箱に収容される一群の喫煙品の概略的な斜視図である。
【図３】図１の包装箱に収容される補強要素を構成するのに用いられるブランクの概略的な平面図である。
【図４】図３のブランクを用いて構成された、図２の一群の喫煙品を収容している補強要素の第一の概略的な斜視図である。
【図５】図３のブランクを用いて構成された、図２の一群の喫煙品を収容している補強要素の第二の概略的な斜視図である。
【図６】図１の包装箱を製造する方法における工程を概略的に示す。
【発明を実施するための形態】
【００３９】
添付図面を参照して、参照符号１は、喫煙品２のための包装箱全体を示している。
【００４０】
なお、実際には、図１は、柔らかいタイプの包装箱の場合においては、以下により詳細に説明する通り、上端部を除いてある長さの紙材料内に包装することもできる、一群３の喫煙品２の周囲に配置された内側包装材を示していることを記載しておく。
【００４１】
また、本開示はタバコ２に言及するが、より一般的に、長手方向軸に沿って細長い形状であり、タバコ側端部とフィルタ側端部とを有するあらゆる喫煙品にも、例えばタバコ産業における非燃焼加熱式タバコ（ｈｅａｔ−ｎｏｔ−ｂｕｒｎ  ｐｒｏｄｕｃｔｓ）のセグメント等にも適用できることも記載しておく。
【００４２】
さらに、包装箱１は、図１に示すように、一枚の紙材料およびプラスチック材料のフィルム（図示せず）内に包装することができるもしくは包装しないこともできる、喫煙品のための、柔らかいタイプの包装箱を構成することも、または図１Ａに示すように、硬いヒンジ蓋タイプの包装箱を構成するよう硬い板紙容器内に挿入されるように構成される内側包装箱を構成することもできる。
【００４３】
図２に示す通り、それぞれのタバコ２は、長手方向軸「Ａ」に沿って細長く延びており、タバコ側端部に対応する第一端部２０１とフィルタ側端部に対応する第二端部２０２とを有する。
【００４４】
第一端部２０１と第二端部２０２とにおいて、タバコ２は、長手方向軸に対して交差する面を有する。
【００４５】
図２に示す例示的実施形態において、それぞれのタバコ２は第二端部２０２においてフィルタ２０３を有する。
【００４６】
それぞれの包装箱１に関して、タバコ２は、同じように並べられ向きが同じである一群３のタバコ２にまとめられる、つまり、一群３のすべてのタバコ２の第一端部２０１が同じ側にあり、すべての第二端部２０２も同じ側にある。このように、一群３のタバコ２の第一端部３０１と一群３のタバコ２の第二端部３０２とが定義される。
【００４７】
一群３のタバコ２は、タバコ２の第一端部２０１に面する、すなわち一群３のタバコ２の第一端部３０１に面する第一領域３０３を有する。同様に、一群３のタバコ２は、タバコ２の第二端部２０２に面する、すなわち一群３のタバコ２の第二端部３０２に面する第二領域３０４を有する。
【００４８】
一群３のタバコ２の第一領域３０３と第二領域３０４とは、軸方向にオフセットされている、すなわち、互いから長手方向に（タバコ２が向けられている長手方向「Ａ」に沿って）間隔を空けて配置されている。
【００４９】
また包装箱１は、一群３のタバコ２を閉じ込める気密に封止される包装材４を備える。
【００５０】
包装材４は、好ましくは湿気を通さないとともに風味を通さず風味が失われるのを防ぐ遮断壁を構成する熱可塑性物質のフィルムから形成される。
【００５１】
包装材４は、図１における破線で示す開口部を有する。開口部を通じてタバコ２を取り出すことができる。また包装材４は、タバコ２を取り出すために開口部を開き、また閉じることができるよう、包装材４の開口部に貼り付けられる封止パネル４０２を有する。封止パネル４０２は、タバコ２を取り出されることができるよう、繰り返し何度も閉じた位置から開いた位置に、そして開いた位置から閉じた位置に移動することができる。
【００５２】
このために、封止パネル４０２を繰り返し開閉した後でも包装材４に封止パネル４０２を密着させるのに適した接着剤の層が、封止パネル４０２に備えられている。好ましくは、上に接着剤がない部分を有するタブ４０３が、指で掴みやすくするために脆弱線を介して封止パネル４０２の自由端に接続される。
【００５３】
好適には、包装箱１はまた、薄い厚紙または他の同様の材料で形成され、包装材４の内部に配置される補強要素５を備える。補強要素５は、一群３のタバコ２を少なくとも部分的に包装するよう形成された略箱状体である。
【００５４】
補強要素５は、（その内側の表面が）一群３のタバコに接しており、特に、一群３のタバコ２の少なくとも一部を囲繞するよう一群３のタバコ２の周囲に配置される。
【００５５】
実際には、補強要素５は、前壁５０１と、背面壁５０２と、二つの側壁５０３と、前壁５０１と背面壁５０２を接続する少なくとも一つの上端部壁５０４と、を有する。
【００５６】
補強要素５は長手方向「Ａ」に沿って延設される。
【００５７】
言い換えれば、補強要素５は、機能的に（補強要素５が一群３のタバコ２に連結された場合に）一群３のタバコ２が延設される長手方向と同じである方向に沿って長い。
【００５８】
長手方向「Ａ」に関して、補強要素５は第一端部と第二端部とを有する。少なくとも一つの上端部壁５０４は、一群３のタバコ２の第一領域３０１に面するよう、補強要素５の第一端部に配置される。
【００５９】
好ましくは、補強要素５の前壁５０１と背面壁５０２と側壁５０３は、タバコ２の長手方向全長に対応して延設される。
【００６０】
図４および図５を参照して、前壁５０１と背面壁５０２と側壁５０３によって、四つの側部が閉じており一群３のタバコ２を囲繞する補強要素の環状部が構成される。
【００６１】
好適には、一群３のタバコ２の第一領域３０３の非被覆部分３０３’を形成するよう、一群３のタバコ２の第一領域３０３を部分的に覆うようタバコ２のタバコ側端部２０１を面するように、補強要素５の前述の上端部壁５０４は配置される。
【００６２】
語「非被覆」は、覆われていない部分を、したがって包装材４の封止パネル４０２を単に開けることによってアクセス可能となる部分を意味するよう用いられる。言い換えれば、「非被覆」は補強要素５に関して覆われていないことのみを意味する。
【００６３】
どのように非被覆部分が得られるかに関しては、本開示において後で補強要素５を得るための平坦なブランクを説明したときに、明瞭に理解されよう。
【００６４】
また非被覆部分３０３’は包装材４に面する。また、包装材からタバコ２を取り出すための開口部は、一群３のタバコ２の第一領域３０３の非被覆部分３０３’と少なくとも部分的に重なるよう配置される。
【００６５】
このように、包装材４の封止パネル４０２を開いた位置に持ち上げることによって、一群３のタバコ２を取り出すよう、ユーザは、一群３のタバコ２の第一領域３０３の非被覆部分３０３’にアクセスすることができる。
【００６６】
好適には、封止パネル４０２は、包装材４の開口部を閉じる構成において上端部壁５０４と少なくとも部分的に重なるよう、形成されるとともに配置される。
【００６７】
図２、図４および図５に示す実施形態のように、タバコ２がフィルタ２０３を有するタバコであり、かつフィルタ２０３がタバコ２の第二端部２０２に配置される場合、上端部壁５０４は、タバコ２の先端と、すなわちタバコ端部と接する。
【００６８】
言い換えれば、図４および図５に示す実施形態において例示する通り、第一端部２０１がタバコ側端部となるように、タバコ２の向きが決められている。
【００６９】
この構成の目的は、タバコ２が包装箱１から取り出される場合にフィルタ２０３と接触させないことにある。
【００７０】
一群３のタバコ２の第一領域３０３を部分的に覆うよう配置される少なくとも一つの上端部壁５０４が備えられているので、ユーザがある程度の力を加えることによって封止パネル４０２が非被覆部分３０３’を再び閉じる場合に潰れやすいタバコ２の先端が押し潰されて戻らなくなるのを防止できる利点がある。もし上端部壁５０４がなければ、その力によって、タバコ２のタバコ先端を破損させてしまう虞がある。
【００７１】
言い換えれば、本発明によって、封止パネル４０２を密着させるのに必要な押し潰し圧力が、一群３のタバコ２の第一領域３０３に影響せず補強要素５の上端部壁５０４に加えられるので、封止パネル４０２が非被覆部分３０３’を閉じる場合に一群３のタバコ２の第一領域３０３の形状が潰れてしまうのを防止することができる。
【００７２】
好ましくは、添付図面に示す包装箱１の実施形態に関して、補強要素５は、前壁５０１と背面壁５０２とを接続するよう配置された二つの上端部壁５０４を有しており、二つの上端部壁５０４の間に一群３のタバコ２の第一領域３０３の非被覆部分３０３’が形成される。
【００７３】
なお、添付図面においては、上端部壁５０４は長方形または正方形であることを記載しておく。しかしながら、異なる形状も想定できる。
【００７４】
さらにより好ましくは、二つの上端部壁５０４は、補強要素５の側壁５０３に隣接している側部肩部を構成しているとともに、一群３のタバコ２の第一領域３０３の対応する両側部バンドを覆うよう配置されている。
【００７５】
好ましくは、封止パネル４０２は、タバコ２を取り出すための開口部を閉じる構成において、それぞれが対応するそれぞれの上端部壁５０４に載置される側部部分４０２’を有する。側部部分４０２’は、必ずしも必須ではないが好ましくは平行である。
【００７６】
本発明にかかる包装箱１の一の実施可能な形態において、補強要素５は、図３に示すタイプのブランク６から構成される。
【００７７】
好ましくは、ブランク６の形状が平面状で略長方形であり、ブランキングによって一枚の紙または板紙から得られる。
【００７８】
好ましくは、ブランク６は、少なくとも第一パネル６０１および第二パネル６０２（補強要素５の前壁５０１および背面壁５０２にそれぞれ対応しており、また、主長手方向に延設されている）と、一群３のタバコ２の第一領域３０３を部分的に覆うよう、補強要素５の対応するそれぞれの上端部壁５０４を構成するために、第一パネル６０１と第二パネル６０２とを接続するために配置される少なくとも一つの接続パネル６０４と、を有する。
【００７９】
延設の主長手方向に対して垂直に測定される、接続パネル６０４の一の寸法は、第一パネル６０１および第二パネル６０２より小さい。
【００８０】
また好ましくは、補強要素５のそれぞれの側壁５０３は、前壁５０１からそして背面壁５０２から延設される一ペアの側部部分を少なくとも部分的に重ねることにより構成される。このように、ブランク６は、第一ペアおよび第二ペアの側部ウィングを備える。それぞれのペアは、第一パネル６０１および第二パネル６０２から延設される。
【００８１】
他の実施形態において、ブランク６は、第一パネル６０１からまたは第二パネル６０２から延設される一方のペアのみの側部ウィング６０３で構成することもできる。
【００８２】
側部ウィング６０３はそれぞれ、対応する長手方向折り畳み線６０５に沿って対応するそれぞれのパネル６０１，６０２に連結される。一方、それぞれの側部接続パネル６０４が、好ましくは長手方向折り畳み線６０５に垂直である対応する横方向折り畳み線６０６に沿ってそれぞれの第一パネル６０１および第二パネル６０２に連結される。
【００８３】
好ましくは、ブランク６は、第一パネル６０１と第二パネル６０２とを接続するよう配置される一ペアの接続パネル６０４を有する。延設の主長手方向に対して垂直に測定される、それぞれの接続パネル６０４の一の寸法は、第一パネル６０１および第二パネル６０２より小さい。
【００８４】
二つの接続パネル６０４は、一群３のタバコ２の第一領域３０３の非被覆部分３０３’を形成するブランク６の中央窓部６０７によって互いから分離される。
【００８５】
好適には、ブランク６が折り畳まれると、横方向折り畳み線６０６によって前壁５０１と一群のタバコ２の第一領域３０３が潰れるのを防止する上端部壁５０４との間に縁５０５が形成される。詳細には、第一領域３０３の非被覆部分３０３’がしたがって封止パネル４０２が閉じられて、タバコ先端が崩れないよう保護するために構造的な補強が提供される。
【００８６】
好ましくは、図３に示す通り、ブランク６の形状が、延設の主長手方向と平行な方向に対して対称である。
【００８７】
補強要素５には底壁がない。好適には、以下に説明する方法にかかる包装箱１の生産方法は、部分的に形成された補強要素５内へと補強要素５の底部から一群３のタバコ２を正確に挿入することができる工程を含む。
【００８８】
本発明は、長手方向「Ａ」に長い形状であって、タバコ側端部とフィルタ側端部とを有する喫煙品の包装箱１を製造する方法を提供する。
【００８９】
方法は、好ましくは上述した特徴の一以上を有するブランク６を準備する工程と、上述したタイプの一群３のタバコ２を準備する工程と、を含む。
【００９０】
また方法は、強化ブランク６から補強要素５を構成し、補強要素５を一群３のタバコ２と連結する工程を含む。
【００９１】
方法はさらに、タバコは取り出すことができるとともに封止パネル４０２によって開き再び閉めることができる開口部を有する熱可塑性物質のフィルムを用いて、補強要素５が連結された一群３のタバコ２を収容する気密に封止される包装材４の構成する工程を含む。
【００９２】
好適には、補強要素５を形成し、補強要素５を一群３のタバコ２に連結する工程は、
第一領域３０３の非被覆部分３０３’を形成するために第一領域３０３を部分的に覆うよう配置される上端部壁５０４を接続パネル６０４が構成するように、ブランク６の接続パネル６０４を一群３のタバコ２の第一領域３０３と接するように配置する工程と、
第一パネル６０１および第二パネル６０２が互いに平行になるとともに長手方向「Ａ」に沿った向きとなるよう、ブランク６を「Ｕ」字状に折り畳む工程と、
補強要素５の側壁５０３を構成するよう、少なくとも一つの第一ペアの側部ウィング６０３を折り畳む工程と、
を含む。
【００９３】
好適には、包装材４は、一群３のタバコ２と、一群３のタバコ２の第一領域３０３の非被覆部分３０３’、すなわち、被覆されない接続パネル６０４の部分と重なるよう配置されるタバコ２を取り出すための開口部を有する補強要素５と、の周囲に形成される。
【００９４】
好ましい実施形態において、第一ペアの側部ウィング６０３は第一パネル６０１から延設される。またブランク６は、第二パネル６０２から延設される第二ペアの側部ウィング６０３を備えることもできる。その場合、補強要素５の側壁５０３を構成する工程は、第一ペアの第一側部ウィング６０３と第二ペアの側部ウィング６０３とを折り畳んで重ねる工程を含む（方法はまた、第一ペアおよび第二ペアの側部ウィングを互いに接着する工程を含むことができる）。
【００９５】
第一ペアの側部ウィング６０３が第一パネル６０１から延設される場合、図６に示す通り、補強要素５を形成し補強要素５を一群３の喫煙品２に連結する工程は、
第一パネル６０１に対してある角度で配置されるよう、第一ペアの側部ウィング６０３を折り畳む工程と、
第一パネル６０１に対して直角となるよう接続パネル６０４を折り畳む工程と、
タバコ側端部２０１が接続パネル６０４と接するよう一群３の喫煙品２を押圧する工程であって、押圧力が喫煙品２のフィルタ側端部２０２に加えられる工程と、
第一パネル６０１および第二パネル６０２が互いに平行になるとともに長手方向Ａに沿った向きとなるよう、第二パネル６０２を折り畳む工程と、
を以上に説明した順序で含む。
【００９６】
方法のこの実施形態によって、一群３の喫煙品２が接続パネル６０４と接触するよう押されたときであっても、喫煙品２が互いに並んでいる状態から外れて移動することを確実になくすことができる利点がある。さらに、得られた包装箱１においては、喫煙品２はフィルタ側端部２０２から押されるが、喫煙品２はタバコ側端部２０１によって取り出すことができる。このことは、補強要素５の特別な形状によって可能となる。
【００９７】
図６は、本発明にかかる包装箱１を製造する方法の一の実施可能な形態の工程を概略的に示している。
【００９８】
参照符号１００は、強化ブランク６が薄い板紙の連続的なウェブ１０１から打ち抜かれるパンチステーションを示す。ブランクは、一群３のタバコ２を受けるよう第一脆弱線６０５および第二脆弱線６０６に沿って少なくとも部分的に折り畳むように、回転経路１０２回りに回転する送出ドラム（図示せず）へと送出される。
【００９９】
少なくとも部分的に完成したブランク６は、充填ステーション１０３に配置される。充填ステーション１０３では、回転経路１０２に沿って配置される供給ライン１０４から供給される一群３のタバコ２がそれぞれ、対応する少なくとも部分的に折り畳まれた補強要素５に押し込まれる。
【０１００】
完成すると、一群３のタバコ２を収容した補強要素５は、包装材４を補強要素５の周囲に配置する包装ステーション１０５へと送出され、次に、封止パネル４０２を貼り付ける貼り付けステーション１０６へと送出される。
【０１０１】
この時点おいて、包装箱１を、例えば、硬いヒンジ蓋タイプの包装箱を構成するよう硬い厚紙収容器に挿入することができる。
【０１０２】
本発明は、従来技術の上述した欠点を克服することにより、そして単に包装材４の封止パネル４０２を持ち上げることによって一群３のタバコ２の第一領域３０３の非被覆部分３０３’にアクセスすることができる非常に実用的な方法で、タバコ側に対応しているタバコ２の第一端部２０１に面している、タバコ２が領域３０３から取り出されることを可能にする包装箱１をユーザに提供することおよびその包装箱１を製造する方法を提供することによって、所期の目的を達成する。
【０１０３】
少なくとも一つの上端部壁５０４を備えることによって、タバコ２を潰すことなく、封止パネル４０２を効果的に再び閉じることができる。
【図１】
2018177372.tif 000003
【図１Ａ】
2018177372.tif 000004
【図２】
2018177372.tif 000005
【図３】
2018177372.tif 000006
【図４】
2018177372.tif 000007
【図５】
2018177372.tif 000008
【図６】
2018177372.tif 000009
【外国語明細書】
2018177372000001.pdf